(57)【要約】      （修正有）【課題】画像形成装置の用紙搬送路におけるジャム紙処理の作業性を向上した画像形成装置を提供する。【解決手段】画像形成装置の装置本体５０と、これに対して開閉回動可能な両面ユニット６０の間に用紙Ｐを搬送する用紙搬送路を形成し、レジストローラ対を配する。一方のローラ１８ａの軸１８ａｘに、レジストローラ対を回転させるレバー７１を正逆回動可能に備え、両面ユニット６０を開くと用紙搬送路、レジストローラ対、レバー７１へのアクセスが可能となる。レバー７１の頂面部７１ｄの上面における正逆回動方向での両端部それぞれに、指を引っ掛けるための突部８１、８２を設ける。レバー７１の頂面部７１ｄに指を１本接触させてレバー７１を回動させ得るようにすることで、狭い空間内でのジャム処理の作業性を向上させる。【選択図】図４
2014149463.tif 000002
【特許請求の範囲】
【請求項１】
装置本体と、
該装置本体に対して回動開閉可能に設けた外装カバーと、
前記装置本体と前記外装カバーの間に、用紙を挟持して搬送するローラ対を備えて形成した用紙搬送路と、
前記ローラ対のうちの一方のローラの軸に、正逆回動が可能に支持したレバーとを備え、
前記外装カバーを開いて前記用紙搬送路へのアクセスを可能とした画像形成装置において、
前記レバーの頂面を形成する頂面部における前記正逆回動方向での両端部それぞれに、指を引っ掛けるための突部が設けてある、
ことを特徴とする画像形成装置。
【請求項２】
請求項１の画像形成装置において、
前記突部が、前記レバーの頂面部の内側を向く面に頂面部の内側に向かって下方に傾斜する斜面部を有し、
前記装置本体側の突部の斜面部が、前記外装カバー側の突部の斜面部よりも緩い傾斜の緩斜面であることを特徴とする画像形成装置。
【請求項３】
請求項１又は２の画像形成装置において、
前記レバーの頂面部が、前記両端部の突部の間に該両端部の突部より高さが低く、指での操作時に指が引っ掛かりやすくするための突部を複数設けたことを特徴とする画像形成装置。
【請求項４】
請求項１乃至３のいずれかの画像形成装置において、
前記レバーが、
前記ローラの軸へ支持させる軸部と、
前記軸部に対して前記装置本体の上方へ伸びている操作部と、
前記軸部に対して前記装置本体下方へ伸び、前記操作部の正逆回動を規制して回動範囲を規定するストッパ部とを有し、
前記操作部は、指が当接される前記頂面部を有する当接部と、前記当接部を前記軸部に対して支持する支持部とを備える、
ことを特徴とする画像形成装置。
【請求項５】
請求項４の画像形成装置において、
前記レバーの当接部と前記軸部との間に凹み状の空間である凹み部を有することを特徴とする画像形成装置。
【請求項６】
請求項４又は５の画像形成装置において、
前記当接部における前記外装カバー側へ向く面には、前記レバーを識別する識別表示が設けられている、
ことを特徴とする画像形成装置。
【発明の詳細な説明】
【技術分野】
【０００１】
本発明は、複写機、プリンタ、ファクシミリ、これらの複合機等の画像形成装置に関し、詳細にはジャム処理の操作性を向上させ得る構成としたものに関する。
【背景技術】
【０００２】
複写機等の画像形成装置においては、用紙を給紙部から画像形成部へ縦に搬送する縦搬送部を備えるものがある。このような画像形成装置においては、縦搬送部における紙詰まり（ジャム）の処理を容易にするために外装カバーを設け、詰まった紙（以下、ジャム紙）にアクセスできるようにしたものがある（例えば特許文献１参照）。
【０００３】
このような画像形成装置では、縦搬送部において紙詰まりが発生したときに、外装カバーを開けることでジャム紙を発見しやすくなる。またジャム紙を摘みやすくするために、レバーを例えばレジストローラの操作用に設け、用紙を送れるようにしたものがある。
【０００４】
外装カバーは、操作パネルに表示される画面や、操作説明用のシート見ながら操作者が開けることになるが、それによってレバーが外部から見えるようになっている。そして、レバー操作で例えばレジストローラを正転、逆転させながら、用紙が掴みやすくなるところまで送り出し、紙詰まりの処理を行う。
【０００５】
なお、ジャム紙の一部がレジストローラを通過し、画像を用紙に転写するための転写部に到達してしまっている場合がある。この場合、レジストローラから用紙搬送方向の上流側へ引き抜くと、トナーやインクがレジストローラに付着してレジストローラを汚してしまうことが考えられる。そこで外装カバーを開け、ジャム紙を用紙搬送方向で下流側（転写部、画像形成部側）へ引き抜くようにするのが一般的である。そのため、レジストローラの軸受部にワンウェイクラッチを設ける等してレジストローラを逆転させないようにし、用紙搬送方向で上流側へジャム紙を引き抜けなくしている。
【発明の概要】
【発明が解決しようとする課題】
【０００６】
ところが画像形成装置には、フレームやローラ、ガイド板など、搬送系を構成する複雑な部品が多く混在している。そのため縦搬送部におけるレバーの設置スペース、操作スペースを大きくとることが難しく、レバーを小さくせざるを得なくなっている。小さなレバーでは、当然ながら操作がしにくいため解決が望まれていた。
【０００７】
また、複合機では、画像形成装置の本体側面（通常は右側面）に両面ユニットが配置され、外装カバーの内側が両面ユニットとなっている構成が採用してある。したがって外装カバーを開けると、外装カバーととともに両面ユニットが開放される。そして両面ユニットがあるため、操作者の立ち位置や腕の稼動範囲が制限された状態となりやすい。そうなると、操作者はレバーを操作しづらくなる。特に、レバーを手前、すなわち画像形成装置の本体の外側へ引き戻す操作が難しくなりやすい。
【０００８】
そして、レバー操作で十分にジャム紙を用紙搬送方向で下流側へ送らないと、ジャム紙が薄手の場合等にはジャム紙が破れてしまい、ジャム処理が非常に面倒になる。
【０００９】
本発明は、上述の諸問題を解決し、ジャム処理の作業性を向上させ得る構成とした画像形成装置を提供することを目的とする。
【課題を解決するための手段】
【００１０】
本発明に係る画像形成装置は、装置本体と、該装置本体に対して回動開閉可能に設けた外装カバーと、前記装置本体と前記外装カバーの間に、用紙を挟持して搬送するローラ対を備えて形成した用紙搬送路と、前記ローラ対のうちの一方のローラの軸に、正逆回動が可能に支持したレバーとを備え、前記外装カバーを開いて前記用紙搬送路へのアクセスを可能とした画像形成装置において、前記レバーの頂面を形成する頂面部における前記正逆回動方向での両端部それぞれに、指を引っ掛けるための突部が設けてある、ことを特徴とする。
【発明の効果】
【００１１】
本発明によれば、ジャム処理性が向上するという効果がある。
【図面の簡単な説明】
【００１２】
【図１】本発明に係る画像形成装置の一例であるフルカラープリンタの概略を示す断面図
【図２】図１のフルカラープリンタの両面ユニットと外装カバーを開放した様子を示す断面図
【図３】レジストローラ対１８近傍を拡大して示す斜視図
【図４】さらに図３の要部を拡大して示す断面図
【図５】レバーの拡大斜視図
【図６】レバーの拡大側面図（Ａ）、同平面図（Ｂ）及び同正面図（Ｃ）である
【図７】レバーの操作状態を示す図４相当の断面図
【発明を実施するための形態】
【００１３】
以下、本発明の実施の形態を図面に基づいて説明する。
図１は、本発明に係る画像形成装置の一例であるフルカラープリンタの概略を示す断面構成図である。図２は、図１のフルカラープリンタの両面ユニットと外装カバーを開放した様子を示す断面図である。
図示のフルカラープリンタ１００は、装置本体のほぼ中央部に、複数のローラに巻き掛けられた中間転写ベルト１１を配してあり、中間転写ベルト１１の下側走行辺に沿って４個の作像ユニット１０Ｍ、１０Ｃ、１０Ｙ、１０Ｂｋが配してある。なお、以下では特に必要がなければ単に作像ユニット１０と記載する。
【００１４】
各作像ユニット１０は像担持体としての感光体ドラム１を備えている。感光体ドラム１の周りには、帯電手段、現像装置、クリーニング手段等が配置してある。さらに各感光体ドラム１に対向する位置において中間転写ベルト１１の内側に１次転写手段としての１次転写ローラ１２が設けてある。なお図示の例の場合、４個の作像ユニット１０は、図において左からマゼンタ、シアン、イエロー、ブラックの順に配置してあるが、もちろんその他の配列でもよい。また各作像ユニット１０は例えばプロセスカートリッジとして装置本体に対して一体に着脱可能なものとすることが多いが、もちろん、そのような構成でなくてもよい。
【００１５】
そして、作像ユニット１０の下方には光書き込み装置１４が設けてある。光書き込み装置１４は図示はしないがポリゴンミラーやミラー群等を有しており、光変調されたレーザ光を各色作像ユニットの感光体ドラム１の表面に照射する。光書き込み装置は、各作像ユニット１０に個別に設けてもよいが、共通の光書き込み装置を用いればコストの点で有利である。なお、本例では、中間転写ベルト１１及び光書き込み装置１４もユニット化されており、それぞれ装置本体に着脱可能に構成してある。
【００１６】
装置下部には２段の給紙カセット１５ａ、１５ｂが設けてあり、各給紙カセット１５ａ、１５ｂに対応させて給紙手段１６ａ、１６ｂが設けてある。給紙手段１６ａ、１６ｂはそれぞれ、呼び出しローラ、供給ローラ及び分離ローラを備えている。この給紙手段１６ａ、１６ｂによって給送する用紙搬送用に、搬送ローラ対１７が設けてある。上側の搬送ローラ対１７の上方（用紙搬送方向で下流側：以下同じ）にはレジストローラ対１８が設けてある。またレジストローラ対１８の上方には、２次転写手段としての２次転写ローラ１９が転写対向ローラ１３に対向させて設けてある。転写対向ローラ１３は、中間転写ベルト１１を掛け渡すローラの一つであり、２次転写部を構成している。なお、以上及び以下において用紙とは、転写紙等の記録媒体をいう。
【００１７】
２次転写部の上方には定着装置２０が設けてあり、その上方には用紙搬送方向を切り替えるための第１〜第３の切替爪２１、２２、２３が配してある。各切替爪２１〜２３は、図示しないソレノイド等のアクチュエータにより駆動し、用紙搬送方向を切り替える。符号２４〜２７は、用紙搬送路中に適宜配置された搬送ローラ対である。また、符号３５〜４１は、用紙搬送路中に適宜配置された用紙センサである。なお、用紙搬送路は、ガイド板等の部材によりガイドするようになっている。
【００１８】
装置本体５０の上面は排紙トレイ３０として構成してあり、排紙トレイ３０に用紙を排出するための排紙ローラ対２９が定着装置２０の上方に設けてある。
【００１９】
また両面ユニット６０（以下で両面ユニットと記載するときは、別段の記載がなければその外側を覆う外装カバーをも含むものとする）内には、スイッチバック搬送路６１及び再給紙路６２が形成してある。スイッチバック搬送路６１の入口部（装置上側）には第１反転ローラ対３１が設けてあり、スイッチバック搬送路６１の中途には第２反転ローラ対３２が設けてある。第１及び第２反転ローラ対３１、３２は正逆回転可能に構成してある。再給紙路６２をほぼ三等分する位置に、搬送ローラ対２６、２７が配置してある。
【００２０】
また両面ユニット６０の側面には手差しトレイ３３が引き出し及び収納可能に設けてある。図１では手差しトレイ３３を引き出した状態を示している。手差しトレイ３３から用紙を給紙するために、呼び出しローラ、供給ローラ及び分離ローラからなる給紙手段３４が設けてある。給紙手段３４の側方で、画像形成装置の内側に位置して再給紙ローラ２８が設けてある。再給紙ローラ２８の上下両側には従動ローラがそれぞれ圧接している。この再給紙ローラ２８は正逆回転可能であり、再給紙路６２から用紙を再給紙する場合は図中反時計回りに回転駆動し、手差しトレイ３３から用紙を給紙する場合は図中時計回りに回転駆動する。
【００２１】
上述したフルカラープリンタ１００における画像形成動作について説明する。
作像ユニット１０の感光体ドラム１を図示しない駆動手段によって図中時計方向に回転駆動し、その感光体ドラム１の表面を帯電手段によって所定の極性に一様に帯電させる。帯電した感光体表面には、光書き込み装置１４からのレーザ光を照射し、それによって感光体ドラム１の表面に静電潜像を形成する。各感光体ドラム１に露光させる画像情報は所望のフルカラー画像をマゼンタ、シアン、イエロー及び黒の色情報に分解した単色の画像情報である。このように形成された静電潜像に現像装置から各色トナーを付与し、トナー像として可視化する。そして中間転写ベルト１１を矢印で示すように図中反時計回りに走行駆動し、各作像ユニット１０において１次転写ローラ１２の作用により感光体ドラム１から中間転写ベルト１１に各色トナー像を順次重ねて転写する。このようにして中間転写ベルト１１はその表面にフルカラーのトナー像を担持する。
【００２２】
作像ユニット１０のいずれか一つを使用して単色画像を形成したり、２色又は３色の画像を形成したりすることもできる。モノクロプリントの場合は４個の作像ユニットのうちＢｋユニットを用いて画像形成を行う。
【００２３】
トナー像を転写した後の感光体ドラム１の表面に付着している残留トナーは、クリーニング装置によって感光体ドラム１の表面から除去する。ついで感光体ドラム１の表面電位を除電器によって初期化して次の画像形成に備える。
【００２４】
用紙は給紙カセット１５ａ、１５ｂあるいは手差しトレイ３３から選択的に給紙し、レジストローラ対１８によって中間転写ベルト１１上に担持したトナー像とのタイミングをとって２次転写位置に向けて送出する。図示の例の画像形成装置では、２次転写ローラ１９には中間転写ベルト１１表面のトナー像のトナー帯電極性と逆極性の転写電圧を印加する。これによって中間転写ベルト１１表面のトナー像が用紙上に一括して転写される。トナー像が転写された用紙が定着装置２０を通過するとき、熱と圧力によってトナー像を用紙に溶融定着させる。画像を定着された用紙は、排紙ローラ２９により装置本体５０上面の排紙トレイ３０に排出させる。
【００２５】
両面ユニット６０は、その下部に設けた回動軸６３を支点として揺動可能に設け、装置本体５０に対して両面ユニット６０を回動開閉可能としてある。なお、両面ユニット６０は図示しないリンク機構により装置本体５０に支持させてあり、開放時に所定の位置で止まるようになっている。なお両面ユニット６０に含まれ、装置本体５０に対して開閉されるものとしては、スイッチバック搬送路６１を形成するガイド板、再給紙路６２を形成する一部のガイド板６６、転写ユニット６４の他に、第３切替爪２３、第１及び第２反転ローラ対３１、３２、手差しトレイ３３、その給紙手段３４、再給紙ローラ２８等がある。また、２つの搬送ローラ対１７、１７の各従動側ローラ１７ｂ、１７ｂも両面ユニット６０に含まれる部材であり、両面ユニット６０の開閉動作とともに移動する。
【００２６】
レジストローラ対１８は装置本体５０側に支持してあり、両面ユニット６０を開放した場合でも装置本体５０に残る。図１のように両面ユニット６０を閉じた状態では、２次転写ローラ１９が転写対向ローラ１３に対向して中間転写ベルト１１に圧接する。また２つの搬送ローラ対１７の従動側ローラ１７ｂ、１７ｂがそれぞれの駆動側ローラ１７ａ、１７ａに圧接して動作可能となる。
【００２７】
そして図２に示すように、両面ユニット６０を開放すると２次転写ローラ１９は中間転写ベルト１１（転写対向ローラ１３）から離間し、２つの搬送ローラ対１７の従動側ローラ１７ｂ、１７ｂがそれぞれの駆動側ローラ１７ａ、１７ａから離間する。これによりレジストローラ対１８前後の用紙搬送路が開放される。すなわち、下側の搬送ローラ対１７からレジストローラ対１８まで及びレジストローラ対１８から定着装置２０までの用紙搬送路が開放され、ジャム処理を容易に行うことができる状態となる。
【００２８】
図３はレジストローラ対１８近傍を拡大して示す斜視図、図４はさらに図３の要部を拡大して示す断面図、図５は後述するレバーの拡大斜視図、図６はレバーの拡大側面図（Ａ）と同平面図（Ｂ）及び同正面図（Ｃ）である。また図７はレバーの操作状態を示す図４相当の断面図である。
【００２９】
レジストローラ対１８は、レジスト駆動ローラ１８ａとレジスト従動ローラ１８ｂを正逆回転可能に軸支して構成する。例えば、一方のレジスト駆動ローラ１８ａをゴムローラ、他方のレジスト従動ローラ１８ｂを金属等の剛体ローラとする。レジスト駆動ローラ１８ａの軸１８ａｘにはレバー７１が正逆回動が可能に装着してある。
【００３０】
図６からよく分かるように、レバー７１は、レジスト駆動ローラ１８ａの軸１８ａｘが装着される中空円筒形の軸部７１ｃと、ユーザがレバー７１の回動動作の操作を行う操作部７１ａと、後述するレバー７１の回動範囲を規制するストッパ部７１ｂを備えている。
操作部７１ａは、ユーザの指が当接する当接部７１ａｘと、この当接部７１ａｘを軸部７１ｃに対して支持する支持部７１ａｙとを備えている。当接部７１ａｘは後述するように、複数の突部８１、８２、８３が形成され、レバー７１の頂面を構成する頂面部７１ｄを備えている。当接部７１ａｘの一つの外周面、具体的には突部８２側の外周面は、レバー７１の識別表示を設ける表示面部８５としてある。
【００３１】
このレバー７１と軸１８ａｘとの間には例えばワンウェイクラッチを具備し、レバー７１を固定した状態ではレジスト駆動ローラ１８ａは用紙を搬送する方向（図４の矢印Ａ１方向：図中の時計回り方向）には回転できるが、逆方向の回転を規制されるようにする。すなわち、レバー７１を矢印Ａ１方向に回転させると、レジスト駆動ローラ１８ａも矢印Ａ１方向に回転し、レバー７１をＡ２方向へ回すと、レバー７１が空転し、レジスト駆動ローラ１８ａは回転せずに停止したままとなる。そのため、用紙Ｐの先端がレジストローラ対１８のニップに噛み込まれた状態でジャムしたときなどには、操作者が指Ｆでレバー７１を矢印Ａ１方向へ回動させ、ついで逆方向の矢印Ａ２方向へ回動させて戻すという動作を繰り返す。
【００３２】
すると、レジストローラ対１８のニップに噛み込まれていた用紙Ｐの先端がさらに噛み込まれていき、結果として用紙Ｐは搬送方向（図中矢印Ａ３方向）へ送られる。それにより、ジャム紙の搬送方向先端側がレジストローラ対１８から上方へ突出し、１本の指Ｆでの操作でジャム処理を行える。なお、ジャム紙の先端がレジストローラ対１８からほとんど上方へ出ないために、ジャム紙の先端を掴み難い場合、上述のレバー７１の動作を何回も行うことによりジャム紙の頭出しを行える。
【００３３】
図６で示すように、レバー７１の操作部７１ａの当接部７１ａｘはレバー７１の回動方向に長手方向が形成される矩形の投影平面形状を有する。そして頂面部７１ｄは指Ｆの先を掛けて操作するのに適当な長さ（回動方向の寸法）を有するものとしてある。また頂面部７１ｄの幅寸法（レジスト駆動ローラ１８ａの軸１８ａｘ方向の寸法）は広めの寸法とし、操作部７１ａは頂面部７１ｄの頂面の面積を広げ、頂面部７１ｄが目立ちやすくしてある。すなわち、両面ユニット６０を開いた時（外装カバーを開けた時）にレバー７１がアクセス可能なものとしてその存在が外部から視認しやすくなっている。
【００３４】
レバー７１の頂面部７１ｄには、その正逆回動方向での両端部それぞれに、レジスト駆動ローラ１８ａの軸１８ａｘ方向に伸びる複数の突部８１〜８３が設けてある。突部８１、８２は、平面形状の頂面部７１ｄにおける用紙の搬送方向と交差する方向での端部にそれぞれ設けてあり、断面が略直角三角形状となっている。また突部８３は、突部８１、８２の間に同じ方向に向けて複数個設けてある。なお図４ではレバー７１と操作者の指Ｆを２つずつ描いてあるが、もちろんレバー７１は１個だけ設けてあるものであり、その動作状態を示すために指Ｆとともに２個ずつ描いたものである。
【００３５】
レバー７１の頂面部７１ｄの正逆回動方向での両端部に突部８１、８２が設けてある。これにより、図４に示すように指１本をレバーの頂面部７１ｄに接触させた状態で指Ｆを図４中の矢印Ａ１、Ａ２方向に往復移動させる動作で、レバー７１を矢印Ａ１、Ａ２方向に回動させることができる。すなわち、レバー７１を矢印Ａ１方向に回動させるために指Ｆを矢印Ａ１方向に移動させる場合には、図４に実線で示す指Ｆの状態のように指Ｆの第一関節から指Ｆの先端の間の中腹の部分を突部８２に引っ掛けてレバー７１を押し下げればよい。レバー７１を矢印Ａ２方向に回動させるために指Ｆを矢印Ａ２方向に移動させる場合には、図４に鎖線で示す指Ｆの状態のように、指Ｆの先端を突部８１に引っ掛け、レバーを矢印Ａ２方向に押し上げればよい。従来のこの種のレバーは、レバーの操作部を例えば親指と人差指で摘んで回動させることが必要な構成のため、操作に用いる少なくとも２本以上の指をレバーが設置された狭い空間に挿入して操作を行う必要があったが、本発明の実施形態に係るレバーでは、指１本をレバー７１の頂面部７１ｄに接触させてレバー７１を回動させることができるので、狭い空間内においてもジャム処理の作業性を良くすることができる。
【００３６】
突部８１、８２は、操作部７１ａが軸部７１ｃから伸びる方向で突部８３よりも高く突出している。そしてこれら突部８１、８２の対向する面、すなわち頂面部７１ｄの内側を向く面はそれぞれ頂面部７１ｄの内側に向かって下方に傾斜する斜面部８１ａ、８２ａとしてある。これら突部８１、８２の斜面部８１ａ、８２ａは、レバー操作がしやすくなるように、装置本体５０側の突部８１の斜面部８１ａのほうが両面ユニット６０側の突部８２の斜面部８２ａよりも緩い傾斜の緩斜面としてある。
【００３７】
すなわち、レバー７１のホームポジション、すなわち図４の実線で示すように装置本体５０側に直立に近い状態でいる位置であり、操作時はその状態からまず指Ｆで手前側（図４で右側）へ引き倒す形態（矢印Ａ１方向へ回動させる）となる。そのため突部８２の斜面部８２ａの傾斜角度を大きくして、指Ｆが掛かりやすくなるようにしている。またレバー７１をホームポジションへ戻す（矢印Ａ２方向へ回動させる）ときは指Ｆの先でレバー７１の突部８１を押し上げる形態となる。そのため、レバー７１をホームポジションへ戻すほうが指Ｆに加わる力が大きくなるため、指Ｆと突部８１との接触面積を大きくする目的で、突部８１の斜面部８１ａの傾斜角度を小さくして上述のように緩斜面としてある。
【００３８】
複数の突部８３は、突部８１、８２の間に図示の例では３個設けてある。個数は図示の例に限定されないが、適宜の間隔で配置し、指Ｆの先での操作における滑り止めのような作用を果せるように形成する。なお図示の例では突部８３を上に凸の半円形でリブ状のものとしてあるが、三角や四角その他の断面形状でも構わない。操作時の抵抗と、目印的な外観を呈するものであればよい。なお、突部８１、８２と突部８３の高さ比は適宜設定すればよく、図示の形態には限定されない。
【００３９】
また支持部７１ａｙのレバー回動方向の長さは当接部７１ａｘのレバー回動方向の長さよりも短いため、軸部７１ｃと当接部７１ａｘとの間に断面凹状の空間である凹み部８４が形成される。図６からわかるように、この凹み部８４は、レバー７１の回動時、特に装置本体５０から離れる矢印Ａ１方向へ引き倒した時、他の部品との干渉を避ける空間部分として機能する。
【００４０】
さらに、レバー７１の当接部７１ａｘの表面にはレバー７１を識別する情報である識別表示が設けられている。識別表示は、両面ユニット６０を開放した際にユーザがレバー７１を視認しやすいように、当接部７１ａｘにおける両面ユニット６０を向く外面（表示面部８５）に設けられている。図の例では○の中にアルファベットのＢをいれた表示を識別表示として成形してある。一般に画像形成装置では、操作パネルの画面表示や操作説明のシートの表記において操作すべき箇所をアルファベットで示すので、それに対応させてレバー７１を「Ｂ」として示したものである。もちろん、レバー７１を表記するアルファベットがＢに限定されるものではなく、またアルファベットではなく他の文字、図形などの表記であってもよい。さらには、識別表示はデカルを貼り付けることによる表示でもよい。デカルを貼り付けても、直接には指Ｆが触れないので剥がれなども起きにくい。なお画像形成装置には複数のレバーが存在するので、それらにそれぞれ異なる色を付けて操作箇所や操作手順を色で表示、表記するようにしてもよい。
【００４１】
ストッパ部７１ｂはレバー７１のレジスト駆動ローラ１８ａの下方近傍に位置するように設けてある断面が台形状の部位である。このストッパ部７１ｂは、レバー７１の回転範囲を規制する部位として設けてある。具体的には図６に示すように機能する。
【００４２】
図６（Ａ）のように両面ユニット６０を開け、レジストローラ対１８や、レバー７１に対して操作者がアクセスできるようにしてある。すなわちレバー７１がホームポジションにある状態では、ストッパ部７１ｂは装置本体５０または両面ユニット６０を構成する部材に当接する（詳細は図示は省略する）。これによりレバー７１の装置本体５０側への回動は規制される。したがってこのストッパ部７１ｂによりレバー７１の回動範囲が規定される。また、図６（Ａ）の状態からレバー７１を矢印Ａ１の方向へ回動させて図６（Ｂ）の状態としたときは、装置本体５０を構成する部材に当接する（これも詳細は図示は省略する）。これにより、レバー７１の矢印Ａ１方向への回転も規制される。そして、開けていた両面ユニット６０を戻して閉めるとき、両面ユニット６０に押されてレバー７１が矢印Ａ２方向に回転し、ホームポジションに戻る。すなわち、両面ユニット６０を閉めるときにはレバー７１を単独で操作しなくてもよい。なお、図示の例には限定されず、ストッパ部７１ｂに代わる適当な他の位置規制構造を備えるようにしてもよい。なお、ストッパ部７１ｂの断面形状は図示の例には限定されず、上述のような動作が行えれば、例えば矩形の断面のものなど適宜の形状のものとすることができる。
【００４３】
すなわち、上述してきた本発明の実施形態では、以下のような特徴がある。
（１）レジスト駆動ローラ１８ａの軸１８ａｘとレバー７１の軸１８ａｘの軸線方向での幅を広くすることで複数の部品が混在する狭い場所でも目立つようにできる。そのため、レバー７１を見つけやすい。
（２）レバー７１の表面に突部８１〜８３で複数の凹凸をつけており、指がしっかりと引っ掛ける。そのため、軽く操作でき、指１本でも操作が可能となっている。
（３）指１本でレバー７１を操作可能なため、部品が多くて十分な空間がない場所でも操作できる。
（４）レバー７１の幅が広いので当接部に記号等を表記しやすい。この表記を画像形成装置の画面や操作説明のシートの表記と合わせることで、操作が必要なレバー７１を発見しやすい。
（５）レバー７１をホームポジションへ戻しわすれても、両面ユニット６０（外装カバー）を閉めるとレバー７１が連動してホームポジションに戻る。そのため、ジャム処理時はレバー７１の操作をいつもホームポジションから始めることができる。また閉じていた両面ユニット６０を開いたときは、レバー７１がホームポジションに戻っているため、レバー部の表記を確認しやすい。
【００４４】
また本発明は以上説明した実施形態に限定されるものではなく、多くの変形が本発明の技術的思想内で当分野において通常の知識を有する者により可能である。
【符号の説明】
【００４５】
１        ：感光体ドラム
１０      ：作像ユニット
１１      ：中間転写ベルト
１２      ：１次転写ローラ
１３      ：転写対向ローラ
１４      ：光書き込み装置
１５ａ    ：給紙カセット
１６ａ    ：給紙手段
１７、２４〜２７：    搬送ローラ対
１８      ：レジストローラ対
１８ａ    ：レジスト駆動ローラ
１８ａｘ  ：レジスト駆動ローラの軸
１８ｂ    ：レジスト従動ローラ
１９      ：２次転写ローラ
２０      ：定着装置
２６、２７：    搬送ローラ対
２８      ：再給紙ローラ
２９      ：排紙ローラ
３０      ：排紙トレイ
３１      ：第１反転ローラ対
３２      ：第２反転ローラ対
３３      ：手差しトレイ
３４      ：給紙手段
３５〜４１    ：用紙センサ
５０      ：装置本体
６０      ：両面ユニット
６１      ：スイッチバック搬送路
６２      ：再給紙路
６３      ：回動軸
６４      ：転写ユニット
６６      ：ガイド板
７１      ：レバー
７１ａ    ：操作部
７１ａｘ  ：当接部
７１ａｙ  ：支持部
７１ｂ    ：ストッパ部
７１ｃ    ：軸部
７１ｄ    ：頂面部
８１〜８３      ：突部
８１ａ    ：斜面部
８２ａ    ：斜面部
８４      ：凹み部
８５      ：符号表示面部
１００    ：フルカラープリンタ
Ｆ        ：指
Ｐ        ：用紙
【先行技術文献】
【特許文献】
【００４６】
【特許文献１】特開２００７−７０１１７号公報
【特許文献２】特開２０１０−２１７３７７号公報
【図１】
2014149463.tif 000003
【図２】
2014149463.tif 000004
【図３】
2014149463.tif 000005
【図４】
2014149463.tif 000006
【図５】
2014149463.tif 000007
【図６】
2014149463.tif 000008
【図７】
2014149463.tif 000009